(57)【要約】【課題】導光板を複数列に配してなる導光板群タイプのバックライト装置において、導光板の熱による伸び縮みにて入光側面と光源との間の離隔寸法が変わるのを防ぐことができる導光板装置、光源装置及び表示装置を提供する。【解決手段】略矩形をなし、一短辺側の入光側面１ａから入光した光を一面の出光面１ｂから出光する導光板１が２枚他短辺側の非入光側面１ｄ，１ｄが相互に対向するように長手方向に並置され、並置された２枚の導光板１，１が並置される方向と直交する方向に複数列に配され、各導光板１，１の入光側面１ａ，１ａ部が支持体３に固定されている構成とすることにより、熱による導光板１の伸び縮みを、固定されていない非入光側面１ｄ側で吸収し、２枚の導光板１，１の入光側面１ａと発光ダイオード４との間の離隔寸法を一定に保つことができるようにした。【選択図】図２
2011129364.tif 000002
【特許請求の範囲】
【請求項１】
略矩形をなし、一短辺側の側面から入光した光を一面から出光する導光板を支持体に支持させてある導光板装置において、前記導光板が２枚他短辺側の側面が相互に対向するように長手方向に並置され、並置された２枚の導光板が並置される方向と直交する方向に複数列に配されていることを特徴とする導光板装置。
【請求項２】
並置された前記導光板は、前記一短辺側が前記支持体に固定されている請求項１記載の導光板装置。
【請求項３】
並置された前記導光板は、長手方向の長さが異なる請求項１又は２記載の導光板装置。
【請求項４】
並置された前記導光板は、前記他短辺側の側面の対向間の空間が前記長手方向の一方及び他方へ交互に偏倚するように配してある請求項１から３のいずれか一つに記載の導光板装置。
【請求項５】
前記導光板は長辺と直交する方向の断面形状が略矩形をなし、並置された導光板の前記他短辺側の側面は、前記一面側の稜及び他面側の稜が前記長手方向へ偏倚している請求項１から４のいずれか一つに記載の導光板装置。
【請求項６】
並置された前記導光板が固定される位置を調整する調整手段を備える請求項１から５のいずれか一つに記載の導光板装置。
【請求項７】
前記調整手段は、前記他短辺側の側面が対向する間の空間に配された弾性体と、前記一短辺側の側面側に配され、前記弾性体の弾性復元力に打勝って前記導光板を押付ける押付体とを有する請求項６記載の導光板装置。
【請求項８】
並置された前記導光板は、前記一短辺側の側面が前記長手方向の一方及び他方へ交互に偏倚するように配してある請求項３から７のいずれか一つに記載の導光板装置。
【請求項９】
前記他短辺側の側面は、光反射層が設けられている請求項１から８のいずれか一つに記載の導光板装置。
【請求項１０】
離隔して対向する二つの光源と、各光源が放射した光が前記一短辺側の側面から入光されるように前記二つの光源間に前記導光板が配されている請求項１から９のいずれか一つに記載の導光板装置とを備えることを特徴とする光源装置。
【請求項１１】
前記二つの光源は、回路基板に実装されている複数の発光ダイオードである請求項１０記載の光源装置。
【請求項１２】
前記導光板は３列以上に配され、該導光板の一短辺側の側面と前記光源との間の寸法は、端の列が長く、中央の列が短い請求項１０又は１１記載の光源装置。
【請求項１３】
一側に表示面を有する表示部と、該表示部の他側に前記導光板の一面が前記一側へ向くように配されている請求項１０から１２のいずれか一つに記載の光源装置とを備えることを特徴とする表示装置。
【発明の詳細な説明】
【技術分野】
【０００１】
本発明は側面から入光した光を一面から出光する導光板を備える導光板装置、これを備える光源装置、及びこれを備える表示装置に関する。
【背景技術】
【０００２】
液晶テレビジョン等の薄型と称される液晶の表示装置は、映像を表示する表示面を表側に有し略直方体をなす表示部と、該表示部の裏側に配され、表示部に光を照射する光源部とを備え、該光源部及び前記表示部の間に、拡散板及びプリズムシート等の光学シートが配されている。
【０００３】
表示部は、略直方体をなす液晶表示パネルを有する。液晶表示パネル自身は発光するものでないため、表示面に映像を表示するための光源が必要であり、この光源としてバックライト装置が用いられている。
【０００４】
バックライト装置は、表示部の裏側に導光板を配し、導光板の側面側に光源を配するエッジライト方式と、表示部の裏側に拡散板を配し、該拡散板の裏側に光源を配する直下ライト方式とが一般に採用されている。
【０００５】
バックライト装置のエッジライト方式は、導光板の側面から入光した光を、導光板内を導光させながら導光板の一面から出光するため、拡散板の裏側に光源が配される直下ライト方式に比べて表示装置の表裏厚さを薄くすることができ、薄型化を促進する点でエッジライト方式を採用するのが有利である。
【０００６】
エッジライト方式のバックライト装置は、液晶表示パネルに対応する大きさの導光板が採用される導光板単一タイプと、短冊形をなす導光板が複数列に並置される導光板群タイプとが採用されている（例えば特許文献１の図１３参照）。
【０００７】
特許文献１のバックライト装置は、両端に入光側面を有し、短冊形をなす導光板が複数列に並置されている導光板群と、該導光板群を支持する支持体と、複数の発光ダイオードが一列に実装され、導光板の両端と対向する位置に配された回路基板とを備え、各回路基板の発光ダイオードが発光した光を各導光板の両端の入光側面から入光させ、一面から出光するように構成されている。
【先行技術文献】
【特許文献】
【０００８】
【特許文献１】特開２００８−３００１７０号公報
【発明の概要】
【発明が解決しようとする課題】
【０００９】
ところで、導光板の入光側面から入光した光が出光される導光板の出光面側の輝度は、導光板の入光側面と発光ダイオードとの間の離隔寸法と密接な関係があり、基準の寸法に対して前記離隔寸法が短くなるに従って輝度が低下することになるため、導光板の両入光側面側端部を固定して前記離隔寸法が変わらないように構成する必要がある。また、導光板は透光性及び耐熱性に優れ、軽量化を図ることができるアクリル樹脂等の合成樹脂材にて形成されているため、光源が発光する際に発生する熱により伸び縮みする。この導光板の伸び縮みにより前記離隔寸法が変化し、導光板の出光面側の輝度が大きく変化することになる。
【００１０】
また、導光板単一タイプのバックライト装置における導光板は四辺の寸法差が小さく、両入光側面間の熱による伸び縮み量が比較的少ないため、前記離隔寸法の変化は比較的少ない。しかし、導光板の大きさが特定されているため、表示面の広さが異なる機種の表示装置に対応することができないという不利がある。
【００１１】
これに対して、導光板群タイプのバックライト装置における導光板は短冊形をなし、押出し成形にて成形された長尺の導光板を、表示装置の機種の違いに応じて適宜の長さに切断し、この切断された短冊形の導光板を複数列に並置することにより導光板群を形成することができるため、複数の機種に対応し易く、コストも低減できるという利点がある。しかし、短冊形をなす導光板は四辺の寸法差が大きく、両入光側面間の熱による伸び縮み量が比較的多いため、前記離隔寸法の変化が大きくなり、導光板の出光面側の輝度が大きく変化することになる。
【００１２】
ところで、前記離隔寸法が変わらないように、短冊形をなす導光板の両入光側面側端部を固定した場合、両入光側面間の熱による伸び縮みにより固定状態を維持することができなくなったり、固定部分にきしみ音が発生したりすることになる。また、前記離隔寸法が変わらないように、短冊形をなす導光板の一方の入光側面側端部を固定した場合、導光板の他方の入光側面と発光ダイオードとの間の離隔寸法が変わることになる。
【００１３】
本発明は斯かる事情に鑑みてなされたものであり、主たる目的は導光板群タイプのバックライト装置において、導光板の熱による伸び縮みにて入光側面と光源との間の離隔寸法が変わるのを防ぐことができる導光板装置、該導光板装置を備える光源装置、及び該光源装置を備える表示装置を提供することにある。
【課題を解決するための手段】
【００１４】
本発明に係る導光板装置は、略矩形をなし、一短辺側の側面から入光した光を一面から出光する導光板を支持体に支持させてある導光板装置において、前記導光板が２枚他短辺側の側面が相互に対向するように長手方向に並置され、並置された２枚の導光板が並置される方向と直交する方向に複数列に配されていることを特徴とする。
【００１５】
この発明にあっては、長手方向に並置された２枚の導光板が複数列に配され、並置された２枚の導光板の非入光の側面が相互に対向しているため、熱により導光板が伸び縮みする際、該導光板の伸び縮みを、相互に対向する非入光の側面側で吸収することができ、並置された導光板の相互に対向する非入光の側面間寸法が変化するようになり、並置された２枚の導光板の入光される側面と光源との間の離隔寸法を一定に保つことが可能である。よって、熱による導光板の伸び縮みに影響されることなく、導光板の出光面側の輝度を一定に保ち得る。
【００１６】
また、本発明に係る導光板装置は、並置された前記導光板は、前記一短辺側が前記支持体に固定されている構成とするのが好ましい。
この発明にあっては、並置された２枚の導光板の入光される側面側が固定されているため、並置された２枚の導光板の入光される側面と光源との間の離隔寸法を一定に保つことができ、熱による導光板の伸び縮みに影響されることなく、導光板の出光面側の輝度を一定に保つことができる。
【００１７】
また、本発明に係る導光板装置は、並置された前記導光板は、長手方向の長さが異なる構成とするのが好ましい。
この発明にあっては、各列の長さが異なる導光板を交互に並置し、各列の導光板の入光される側面を揃えることにより、各列の並置された２枚の導光板の非入光の側面を長手方向一方及び他方へ交互に偏倚させることができるため、並置された２枚の導光板の非入光の側面間空間にて輝度ムラが生じ易くなっても、この輝度ムラが生じ易い非入光の側面間空間を分散することができ、輝度ムラを目立ち難くすることができる。
【００１８】
また、本発明に係る導光板装置は、並置された前記導光板は、前記他短辺側の側面の対向間の空間が前記長手方向の一方及び他方へ交互に偏倚するように配してある構成とするのが好ましい。
この発明にあっては、各列の並置された２枚の導光板の非入光の側面の対向間の空間が交互に偏倚しているため、並置された２枚の導光板の非入光の側面間空間にて輝度ムラが生じ易くなっても、この輝度ムラが生じ易い非入光の側面間空間を分散することができ、輝度ムラを目立ち難くすることができる。
【００１９】
また、本発明に係る導光板装置は、前記導光板は長辺と直交する方向の断面形状が略矩形をなし、並置された導光板の前記他短辺側の側面は、前記一面側の稜及び他面側の稜が前記長手方向へ偏倚している構成とするのが好ましい。
この発明にあっては、並置された２枚の導光板の非入光の側面が一面及び他面の間で厚さ方向に対向し、非入光の側面から出光させ得るため、並置された２枚の導光板の非入光の側面間空間にて生じ易い輝度ムラをより一層生じ難くすることができる。
【００２０】
また、本発明に係る導光板装置は、並置された前記導光板が固定される位置を調整する調整手段を備える構成とするのが好ましい。
この発明にあっては、各列の導光板の入光される側面位置を調整手段にて調整することができるため、輝度のバラツキが多い発光ダイオードが光源として使用された場合においても、各発光ダイオードに対応して入光される側面と発光ダイオードとの間の寸法を適宜調整することができ、発光ダイオードの輝度のバラツキによる影響を低減できる。
【００２１】
また、本発明に係る導光板装置は、前記調整手段は、前記他短辺側の側面が対向する間の空間に配された弾性体と、前記一短辺側の側面側に配され、前記弾性体の弾性復元力に打勝って前記導光板を押付ける押付体とを有する構成とするのが好ましい。
この発明にあっては、各列の並置された２枚の導光板を入光される側面側へ弾性体が付勢しているため、入光される側面側に配されている押付体を操作することにより、導光板の入光される側面位置を簡易に微調整することができる。
【００２２】
また、本発明に係る導光板装置は、並置された前記導光板は、前記一短辺側の側面が前記長手方向の一方及び他方へ交互に偏倚するように配してある構成とするのが好ましい。
この発明にあっては、各列の長さが異なる２枚の導光板を長手方向の一方及び他方へ交互に並置することにより、導光板の入光される側面を交互に偏倚させることができ、入光される側面と光源との間の離隔寸法を交互に長短にすることができるため、離隔寸法が短い導光板の出光面側輝度を高くし、離隔寸法が長い導光板の出光面側輝度を低くし、出光面側輝度が高い導光板と、出光面側輝度が低い導光板とが交互に配された構成にすることができ、導光板の出光面側の輝度のバラツキを均すことができ、発光ダイオードの輝度のバラツキによる影響を低減できる。
【００２３】
また、本発明に係る導光板装置は、前記他短辺側の側面は、光反射層が設けられている構成とするのが好ましい。
この発明にあっては、各列の並置された２枚の導光板の入光される側面から入光した光を、光反射層にて反射させ、一面側へ出光させることができるため、並置された２枚の導光板の非入光の側面部分の輝度を高めることができ、非入光の側面間空間にて生じ易い輝度ムラをより一層生じ難くすることができる。
【００２４】
また、本発明に係る光源装置は、離隔して対向する二つの光源と、各光源が放射した光が前記一短辺側の側面から入光されるように前記二つの光源間に前記導光板が配されている上述した発明の導光板装置とを備えることを特徴とする。
この発明にあっては、長手方向に並置された２枚の導光板が複数列に配され、並置された２枚の導光板の非入光の側面が相互に対向し、入光される側面部が固定されているため、熱により導光板が伸び縮みする際、該導光板の伸び縮みを、固定されていない非入光の側面側で吸収することができ、並置された２枚の導光板の相互に対向する二つの非入光の側面間寸法が変化することになり、並置された２枚の導光板の入光される側面と光源との間の離隔寸法を一定に保つことができる。よって、熱による導光板の伸び縮みに影響されることなく、導光板の出光面側の輝度を一定に保つことができる。
【００２５】
また、本発明に係る光源装置は、前記二つの光源は、回路基板に実装されている複数の発光ダイオードである構成とするのが好ましい。
この発明にあっては、発光ダイオードは輝度のバラツキが多いにもかかわらず、各発光ダイオードに対応して導光板の入光される側面と発光ダイオードとの間の離隔寸法を適宜調整し得るため、発光ダイオードの輝度のバラツキによる影響を低減できる。
【００２６】
また、本発明に係る光源装置は、前記導光板は３列以上に配され、該導光板の一短辺側の側面と前記光源との間の寸法は、端の列が長く、中央の列が短い構成とするのが好ましい。
この発明にあっては、導光板の入光される側面と光源との間の寸法が短い中央列の導光板の出光面側輝度を高くし、導光板の入光される側面と光源との間の寸法が長い端列の導光板の出光面側輝度を低くすることができるため、複数列の導光板における中央列の輝度を端列の輝度よりも高くすることができる。
【００２７】
また、本発明に係る表示装置は、一側に表示面を有する表示部と、該表示部の他側に前記導光板の一面が前記一側へ向くように配されている上述した発明の光源装置とを備えることを特徴とする。
この発明にあっては、長手方向に並置された２枚の導光板が複数列に配され、並置された２枚の導光板の非入光の側面が相互に対向しているため、熱により導光板が伸び縮みする際、該導光板の伸び縮みを、固定されていない非入光の側面側で吸収することができ、並置された２枚の導光板の非入光の側面間寸法が変化することになり、並置された２枚の導光板の入光される側面と光源との間の離隔寸法を一定に保つことができる。よって、熱による導光板の伸び縮みに影響されることなく、導光板の出光面側の輝度を一定に保つことができる。
【発明の効果】
【００２８】
本発明によれば、長手方向に並置された２枚の導光板が複数列に配され、並置された２枚の導光板の非入光の側面が相互に対向しているため、熱により導光板が伸び縮みする際、該導光板の伸び縮みを、相互に対向する非入光の側面側で吸収することができ、並置された２枚の導光板の相互に対向する非入光の側面間寸法が変化することになり、並置された２枚の導光板の入光される側面と光源との間の離隔寸法を一定に保つことが可能である。よって、熱による導光板の伸び縮みに影響されることなく、導光板の出光面側の輝度を一定に保つことが可能である。
【図面の簡単な説明】
【００２９】
【図１】本発明に係る表示装置の構成を示す縦断側面図である。
【図２】本発明に係る表示装置における光源部の構成を示す一部を省略した正面図である。
【図３】本発明に係る表示装置における光源部の構成を示す分解斜視図である。
【図４】本発明に係る表示装置における光源部の構成を示す横断底面図である。
【図５】本発明に係る表示装置における光源部の構成を示す一部を省略した斜視図である。
【図６】本発明に係る表示装置における光源部の他の構成を示す横断底面図である。
【図７】本発明に係る表示装置における光源部の他の構成を示す縦断側面図である。
【図８】本発明に係る表示装置における光源部の他の構成を示す横断底面図である。
【図９】本発明に係る表示装置における光源部の他の構成を示す横断底面図である。
【図１０】本発明に係る表示装置における光源部の他の構成を示す一部を省略した正面図である。
【図１１】本発明に係る表示装置における光源部の他の構成を示す一部を省略した正面図である。
【図１２】本発明に係る表示装置における光源部の他の構成を示す横断底面図である。
【発明を実施するための形態】
【００３０】
実施の形態１
以下本発明をその実施の形態を示す図面に基づいて詳述する。図１は本発明に係る表示装置の構成を示す縦断側面図、図２は表示装置における光源部の構成を示す一部を省略した正面図である。
【００３１】
図示した表示装置は、テレビ画像を表示する表示面１１ａを前側（表側）に有し、略直方体をなす表示部Ａと、該表示部Ａの後側（裏側）に配され、略直方体をなす光源部Ｂ（光源装置）と、該光源部Ｂ及び表示部Ａの間に配され、周縁部が光源部Ｂに支持される拡散板Ｃと、該拡散板Ｃに積層される光学シートＤと、表示部Ａの周縁部及び光源部Ｂを収容するキャビネットＥとを備える液晶テレビジョン、換言すれば液晶表示装置である。
【００３２】
図３は光源部の構成を示す分解斜視図、図４は光源部の構成を示す横断底面図、図５は光源部の構成を示す一部を省略した斜視図である。
光源部Ｂは、短冊形をなす導光板１が一列に２枚並置され、２枚の導光板１が複数列に配された導光板群１０と、該導光板群１０の裏側に配された反射シート２と、導光板１及び反射シート２を支持する支持体３と、該支持体３に支持され、導光板群１０の両側に一列に配された複数の発光ダイオード４と、両側の発光ダイオード４を各別に実装してある二つの発光ダイオード基板５と、該発光ダイオード基板５及び導光板群１０の両側部を支持体３に固定する固定部材６と、発光ダイオード基板５の外側に配され、光学シートＤを受止める二つのシート受体７とを備える。尚、導光板群１０、反射シート２及び支持体３が導光板装置を構成しており、また、発光ダイオード４が光源を構成している。
【００３３】
支持体３は金属板を略矩形の浅皿状に成形してなり、導光板群１０、反射シート２及び発光ダイオード基板５を収容する収容凹部３１及び該収容凹部３１の側壁頂部から外向きに延出された鍔部３２とを有する略矩形をなし、該鍔部３２に、表示部Ａの周縁部を結合するための雄螺子が螺入される螺入孔及び反射シート２の位置決めを行う位置決め突起３３等が設けられている。
【００３４】
反射シート２は、高反射性を有し、支持体３に対応して略矩形をなす一枚の合成樹脂シートからなり、幅方向両側には厚さ方向へ突出する突片２ａ，２ａが設けられ、断面略凹形に形成されている。突片２ａ，２ａ間のシート部分には、幅方向に離隔して複数の補強用の凸条２１、及び導光板群１０の各導光板１の位置を決める位置決め凸部２２が設けられており、突片２ａ，２ａには位置決め突起３３が嵌入される位置決め孔２３が開設されている。凸条２１は導光板群１０の各列間に平行的に二つ配置されている。位置決め凸部２２は、長手方向両側の二つの凸条２１，２１間に離隔して対向配置されている。また、位置決め凸部２２は末広がりに形成され、導光板１を位置決め凸部２２，２２間に嵌込み易いようになしてある。
【００３５】
導光板１は、一短辺側に入光側面１ａを配し、厚さ方向一面に平坦な出光面１ｂを配してあり、他面の幅方向両側部が薄肉となる断面略凸形をなし、他面の凸部１ｃの両側面が位置決め凸部２２，２２に係合し、幅方向の位置が決められている。
【００３６】
導光板１は、一短辺側に入光側面１ａを配してある長寸法の導光板１と、一短辺側に入光側面１ａを配してある短寸法の導光板１とがあり、長短の導光板１，１を、入光側面１ａと対向する他短辺側の非入光側面１ｄが離隔して相互に対向するように一列に並置され、長短の導光板１，１を交互に配して複数列に並置することにより、列方向一方の導光板１の入光側面１ａが揃い、列方向他方の導光板１の入光側面１ａが揃い、列方向両方の導光板１，１の非入光側面１ｄ，１ｄが長手方向の一方及び他方へ交互に偏倚する導光板群１０になっている。長短の導光板１，１の非入光側面１ｄ，１ｄの寸法は約２〜５mmであり、長短の導光板１，１の長さに応じて決められる。また、導光板１は、アクリル樹脂、ポリカーボネート樹脂等の合成樹脂材を押出し成形してなる長尺の導光板を所定の長さに切断することにより形成されている。
【００３７】
発光ダイオード基板５は短冊状をなし、複数の発光ダイオード４が長手方向に離隔して一列に実装されている。発光ダイオード基板５は帯板状の基板保持体８の一側面に保持され、導光板群１０の両側に配されている。
【００３８】
基板保持体８の一側面には、発光ダイオード基板５、及び発光ダイオード４と対向する入射孔９１を有する多孔板９が雄螺子８１にて取付けられ、発光ダイオード４が発光した光が入射孔９１内に入射され、入射孔９１を経て導光板１の入光側面１ａに入光されるように構成されており、多孔板９に導光板１の入光側面１ａが当接し、導光板１の長手方向への移動を規制し、入光側面１ａ及び発光ダイオード４間の離隔寸法を保つようになしてある。また、基板保持体８には該基板保持体８の幅方向に貫通する貫通孔８２が開設され、該貫通孔８２に嵌入される雄螺子８３にて支持体３に取付けられるようになしてある。
【００３９】
固定部材６は導光板１の入光側面１ａ側端部、換言すると入光側面１ａ部及び基板保持体８に対向する杆状をなし、基板保持体８を貫通する複数本の雄螺子８３にて支持体３に固定され、導光板１の入光側面１ａ側端部及び基板保持体８をともに固定してある。
【００４０】
拡散板Ｃは発光ダイオード４が発光した光を拡散するもので、表示部Ａに対応して略直方形に形成されている。
【００４１】
光学シートＤは、光源部Ｂが発光した光を拡散する反射偏光シート、プリズムシート、拡散シート等の比較的薄肉で、透光性及び可撓性を有する合成樹脂シートからなり、表示部Ａに対応して略矩形に形成されている。
【００４２】
表示部Ａは、略直方体をなし、前後側に偏光板が貼着されている表示パネル１１１と、該表示パネル１１の周縁部を前後で挾持して保持する保持枠体１２とを有し、該保持枠体１２が複数本の雄螺子にて支持体３の鍔部に取付けられている。
【００４３】
キャビネットＥは、表示部Ａの周縁部前側及び周縁部外周りを隠蔽する枠状のキャビネット前分体１３と、光源部Ｂの後側を隠蔽するキャビネット後分体１４とを備える。
【００４４】
以上のように構成された表示装置の組立ては例えば次の(1) 〜(8) の工程で行う。
(1) 作業台上に前面を上向にして平置きされた支持体３の収容凹部３１内の長手方向一側部及び他側部に、シート受体７と、発光ダイオード基板５及び多孔板９が保持されている基板保持体８が配置される。
(2) 支持体３の収容凹部３１内の中央側に反射シート２が配置される。この際、反射シート２の長手方向両端が多孔板９の孔側面に当接するとともに、支持体３の位置決め突起３３が反射シート２の位置決め孔２３に嵌入され、反射シート２の支持体３に対する位置が決められる。
(3) 反射シート２の長手方向一方側の位置決め凸部２２間に、長短の導光板１，１が交互に並置され、長短の導光板１，１夫々の入光側面１ａが多孔板９に当接して直交する２方向への位置が決められ、反射シート２の長手方向他方側の位置決め凸部２２間に、短長の導光板１，１が交互に並置され、短長の導光板１，１夫々の入光側面１ａが多孔板９に当接して直交する２方向への位置が決められ、導光板１夫々の入光側面１ａ及び発光ダイオード４間の離隔寸法が一定になる。
(4) 導光板１夫々の入光側面１ａ側端部の上及び基板保持体８の上に固定部材６が配置され、該固定部材６が雄螺子８３にて支持体３に固定され、導光板１夫々の入光側面側端部及び基板保持体８が支持体３に固定される。
(5) 支持体３における二つのシート受体７に拡散板Ｃが載置され、該拡散板Ｃ上に光学シートＤが積層される。
(6) 別の作業台上に搬送された後、表示部Ａの後側を下向きにした状態で支持体３における鍔部に表示部Ａが載置される。
(7) 表示部Ａの保持枠体１２に開設されている取付孔に挿入される雄螺子を、支持体３の鍔部に開設されている取付孔に螺入することにより表示部Ａが支持体３に装着される。この際、保持枠体１２が光学シートＤの周縁部に接触し、光学シートＤ及び拡散板Ｃは支持体３に固定される。
(8) スタンドにより表示部Ａ及び光源部Ｂが作業台上に起立された後、表示部Ａの前側にキャビネット前分体１３が被嵌され、光源部Ｂの後側にキャビネット後分体１４が被嵌される。
【００４５】
以上のように表示装置の光源部Ｂは、導光板群１０の一列に長短の導光板１，１が並置され、長短の導光板１，１夫々の入光側面１ａ側端部が固定されているとともに、各列の導光板１，１の非入光側面１ｄ，１ｄが導光板１の長手方向へ離隔しているため、発光ダイオード４が発光する際に発生する熱により長短の導光板１，１が伸び縮みする際、長短の導光板１，１の伸び縮みを、固定されていない非入光側面１ｄ，１ｄ側で吸収することができ、長短の導光板１，１の離隔して対向する二つの非入光側面１ｄ，１ｄ間の寸法が変化することになり、長短の導光板１，１の入光側面１ａ，１ａと発光ダイオード４，４との間の離隔寸法を一定に保つことができる。よって、熱による導光板１の伸び縮みに影響されることなく、導光板一面側の輝度を一定に保つことができる。
【００４６】
また、一列の長短の導光板１，１の非入光側面１ｄ，１ｄは長手方向の一方及び他方へ交互に偏倚しているため、長短の導光板１，１の非入光側面１ｄ，１ｄ間の空間にて輝度ムラが生じ易くなっても、この輝度ムラが生じ易い部分を分散することができ、輝度ムラを目立ち難くすることができる。
【００４７】
実施の形態２
図６は光源部Ｂの他の構成を示す横断底面図、図７は光源部Ｂの他の構成を示す縦断側面図である。この光源部Ｂは、導光板群１０の一列の長短の導光板１，１の非入光側面１ｄ，１ｄ間に、長短の導光板１，１を長手方向へ付勢する弾性体１５を設け、入光側面１ａ，１ａ側の多孔板９，９に、長短の導光板１，１を弾性体１５の弾性復元力に打勝って長短の導光板１，１を押付ける押付体１６を設け、該押付体１６の操作にて各列の導光板１が固定される位置を調整、ひいては入光側面１ａ及び発光ダイオード４間の離隔寸法を調整可能としたものである。尚、弾性体１５及び押付体１６が調整手段を構成している。
【００４８】
弾性体１５は、コイルバネ、スポンジ等の可撓性を有する弾性材からなる。押付体１６は雄螺子からなり、基板保持体８に螺着されている。
【００４９】
基板保持体８には、押付体１６の頭部を収容する凹部８４及び該凹部８４から貫通する螺子孔８５が設けられている。発光ダイオード基板５及び多孔板９には、押付体１６の螺子部が挿入される貫通孔５１，９２が設けられている。
【００５０】
この発明にあっては、固定部材６による導光板１の固定を解除した状態で押付体１６を回転操作することにより各列の導光板１の入光側面１ａの位置を調整することができるため、発光ダイオード４は輝度のバラツキが多いにもかかわらず、各発光ダイオード４に対応して前記離隔寸法を適宜調整することができ、発光ダイオード４の輝度のバラツキによる影響をなくすることができる。
その他の構成及び作用は実施の形態１と同様であるため、同様の部品については同じ符号を付し、その詳細な説明及び作用効果の説明を省略する。
【００５１】
実施の形態３
図８，図９は光源部Ｂの他の構成を示す横断底面図である。この光源部Ｂは、導光板群１０の一列の長短の導光板１，１の非入光側面１ｄ，１ｄを、一面側の稜及び他面側の稜が導光板１の長手方向へ偏倚させたものである。図８は一面側の稜及び他面側の稜の間が導光板１の長手方向に対して傾斜する構成としてある。図９は一方の導光板１の一面側を略Ｌ字に欠除し、他方の導光板１の他面側を略Ｌ字に欠除し、一面側の稜及び他面側の稜の間に段部を有する構成としてある。尚、非入光側面１ｄの形態は特に制限されない。
【００５２】
この発明にあっては、各列の長短の導光板１，１の非入光側面１ｄ，１ｄの一面側の稜及び他面側の稜の間で厚さ方向に対向し、長短の導光板１，１に入光された光を非入光側面１ｄ，１ｄから出光させることができ、非入光側面１ｄ，１ｄ間の空間にて生じ易い輝度ムラをより一層生じ難くすることができる。
その他の構成及び作用は実施の形態１と同様であるため、同様の部品については同じ符号を付し、その詳細な説明及び作用効果の説明を省略する。
【００５３】
実施の形態４
図１０は光源部Ｂの他の構成を示す一部を省略した正面図である。この光源部Ｂは、各列の長短の導光板１，１の入光側面１ａ，１ａを導光板１の長手方向の一方及び他方へ交互に偏倚させ、入光側面１ａと発光ダイオード４との間の離隔寸法を交互に長短にしたものである。この場合、一列の導光板１，１の非入光側面１ｄ，１ｄも交互に偏倚している。
【００５４】
この発明にあっては、離隔寸法が短い導光板１の出光面側輝度を高くし、離隔寸法が長い導光板１の出光面側輝度を低くし、出光面側輝度が高い導光板１と、出光面側輝度が低い導光板１とが交互に配された構成にすることができ、導光板１の出光面側の輝度のバラツキを均すことができ、発光ダイオード４の輝度のバラツキによる影響を低減できる。
その他の構成及び作用は実施の形態１と同様であるため、同様の部品については同じ符号を付し、その詳細な説明及び作用効果の説明を省略する。
【００５５】
実施の形態５
図１１は光源部Ｂの他の構成を示す一部を省略した正面図である。この光源部Ｂは、導光板１の入光側面１ａと発光ダイオード４との間の寸法を、端の列が長く、中央の列が短い寸法としたものである。
【００５６】
この発明にあっては、入光側面１ａと発光ダイオード４との間の寸法が短い中央の列の導光板１の出光面側輝度を高くし、入光側面１ａと光源との間の寸法が長い端の列の導光板１の出光面側輝度を低くすることができるため、導光板群１０における中央側の輝度を周辺側の輝度よりも高くすることができる。
【００５７】
実施の形態６
図１２は光源部Ｂの他の構成を示す横断底面図である。この光源部Ｂは、導光板群１０の一列の長短の導光板１，１の非入光側面１ｄ，１ｄに、長短の導光板１，１の入光側面１ａ，１ａから入光された光を反射させる鏡等の光反射層１７，１７を設けたものである。
【００５８】
この発明にあっては、各列の長短の導光板１，１の入光側面１ａ，１ａから入光した光を、非入光側面１ｄ，１ｄの光反射層１７，１７にて反射させ、出光面側へ出光させることができるため、長短の導光板１，１の非入光側面１ｄ，１ｄ部分の輝度を高めることができ、非入光側面１ｄ，１ｄ間の空間にて生じ易い輝度ムラをより一層生じ難くすることができる。
その他の構成及び作用は実施の形態１と同様であるため、同様の部品については同じ符号を付し、その詳細な説明及び作用効果の説明を省略する。
【００５９】
尚、以上説明した実施の形態では、一列に並置される２枚の導光板１を長短とし、各列の長短の導光板１，１の非入光側面１ｄ，１ｄを長手方向の一方及び他方へ交互に偏倚させたが、その他、一列に並置される２枚の導光板１を長短とし、各列の導光板１，１の非入光側面１ｄ，１ｄが揃う構成としてもよいし、また、一列に並置される２枚の導光板１を同じ長さとし、各列の導光板１，１の非入光側面１ｄ，１ｄが揃う構成としてもよく、一列に並置される２枚の導光板１の長さ、及び各列の導光板１の非入光側面１ｄ部の形態は特に制限されない。
【００６０】
また、以上説明した実施の形態では、支持体３と導光板１との間に反射シート２を配し、反射シート２を介して導光板群１０を支持体３に支持する構成としたが、その他、反射シート２をなくし、高反射性を有する支持体３が導光板群１０を支持する構成としてもよい。この場合の支持体３は、一面に塗料等の光反射層を有する他、支持体自体が合成樹脂等の高反射材にて形成される。
【００６１】
また、以上説明した実施の形態では、導光板１の長辺と直交する方向の断面形状を略凸形の略矩形をなす形状としたが、その他、凸部がない略矩形をなす形状であってもよい。
【符号の説明】
【００６２】
１    導光板
１ａ  入光側面（一短辺側）
１ｂ  出光面
１ｄ  非入光側面（他短辺側）
３    支持体
４    発光ダイオード（光源）
５    発光ダイオード基板（回路基板）
６    固定部材
１５  弾性体（調整手段）
１６  押付体（調整手段）
１７  光反射層
Ａ    表示部
Ｂ    光源部（光源装置）
【図１】
2011129364.tif 000003
【図２】
2011129364.tif 000004
【図３】
2011129364.tif 000005
【図４】
2011129364.tif 000006
【図５】
2011129364.tif 000007
【図６】
2011129364.tif 000008
【図７】
2011129364.tif 000009
【図８】
2011129364.tif 000010
【図９】
2011129364.tif 000011
【図１０】
2011129364.tif 000012
【図１１】
2011129364.tif 000013
【図１２】
2011129364.tif 000014